(57)【要約】      （修正有）【課題】棚板の製造に係る手間やコストを削減できるとともに、見栄えもよく、棚板の取付状態を強固なものとすることが可能な陳列棚を提供する。【解決手段】ブラケット３は、支柱２から前方に突出するブラケット本体３０と、ブラケット本体の下端部から隣り合うブラケット側に突出するとともに棚板４が載置される載置部３１と、を有する。棚板は樹脂製の押出成形品であり、長さ方向に沿って両端部に開口する中空部を有する。載置部３１上面からブラケット本体３０の上端部までの高さは、棚板の中空部開口の上縁の位置よりも高く設定される。棚板は、ブラケットの載置部および棚板の下端部を貫通して設けられ、かつ中空部内で拡開するファスナー部材５によって固定される。【選択図】図１
0003187045.tif 000002
【実用新案登録請求の範囲】
【請求項１】
壁面に固定される複数の支柱と、当該複数の支柱にそれぞれ取り付けられるブラケットと、当該ブラケット間に架け渡される棚板と、を備える陳列棚において、
前記ブラケットは、前記支柱から前方に突出するブラケット本体と、当該ブラケット本体の下端部から隣り合うブラケット側に突出するとともに前記棚板が載置される載置部と、を有しており、
前記棚板は樹脂製の押出成形品であり、かつ当該棚板の長さ方向に沿って形成されるとともに長さ方向両端部に開口する中空部を有しており、
前記ブラケットの前記載置部上面から前記ブラケット本体の上端部までの高さは、前記載置部に載置された状態の前記棚板の前記中空部における前記開口の上縁の位置よりも高くなるように設定されており、
前記棚板は、前記ブラケットに対し、当該ブラケットの前記載置部および棚板の下端部を貫通して設けられ、かつ前記中空部内で拡開するファスナー部材によって固定されていることを特徴とする陳列棚。
【請求項２】
請求項１に記載の陳列棚において、
前記ブラケットの前記載置部および前記棚板は、前記ファスナー部材が挿通される少なくとも一つの貫通孔をそれぞれ有することを特徴とする陳列棚。
【請求項３】
請求項１または２に記載の陳列棚において、
前記載置部は、上方に突出する突出ピンを備えており、
前記棚板は、当該棚板の下端部のうち前記突出ピンに対応する位置に貫通形成されるピン用貫通孔を備えることを特徴とする陳列棚。
【請求項４】
請求項１〜３のいずれか一項に記載の陳列棚において、
前記ブラケット本体の上端面と、前記棚板の上面とが面一であることを特徴とする陳列棚。
【請求項５】
請求項１〜４のいずれか一項に記載の陳列棚において、
前記壁面は、当該壁面を構成する壁面用板材の一側面であり、
前記支柱は、前記ブラケットが取り付けられるとともに平断面視略コ字状に形成された支柱本体と、
前記支柱本体と前記壁面用板材の表面との間に介在して設けられるとともに前記壁面用板材を保護するための保護プレートと、
前記壁面用板材に対して、前記支柱本体および前記保護プレートを固定するための固定ビスと、を有することを特徴とする陳列棚。
【考案の詳細な説明】
【技術分野】
【０００１】
本考案は、陳列棚に関する。
【背景技術】
【０００２】
従来、両側に垂直に設けられた複数の支柱にブラケットがそれぞれ取り付けられ、これらブラケットの上端面間に棚板が架け渡され、当該棚板がビス等によって固定されてなる陳列棚が知られている（例えば、特許文献１参照）。
また、垂直に設けられる複数の支柱は、ビス等によって壁面に対して固定される場合がある（例えば、特許文献２参照）。
【先行技術文献】
【特許文献】
【０００３】
【特許文献１】特開２００２−３４５６０９号公報
【特許文献２】登録実用新案第３０４３２８８号公報
【考案の概要】
【考案が解決しようとする課題】
【０００４】
ところで、陳列棚を壁面に固定する場合、当該陳列棚が重みで壁面から外れないような工夫がなされることが好ましい。そこで、例えば、樹脂材料を押出成形してなる中空状の棚板を用いることによって陳列棚の軽量化を図る場合がある。
このように棚板を樹脂製の中空押出成形品とする場合、押出方向すなわち棚板の長さ方向両端部に、当該棚板の中空部の開口が露出するため、例えばキャップを嵌めたり、適宜加工したりして開口を遮蔽することが行われる。しかし、このように端部の処理を行った分、製造に手間やコストがかかるため、端部の処理を省略したいという要望があった。
さらに、棚板を樹脂製の中空押出成形品として軽量化した場合、下方から力が加わると当該棚板が容易に跳ね上がってしまうため、ブラケットに対して確実に固定したいという要望もあった。
【０００５】
本考案の課題は、棚板の製造に係る手間やコストを削減できるとともに、見栄えもよく、棚板の取付状態を強固なものとすることが可能な陳列棚を提供することを目的とする。
【課題を解決するための手段】
【０００６】
請求項１に記載の考案は、例えば図１〜図１４に示すように、壁面Ｗに固定される複数の支柱２，２と、当該複数の支柱２，２にそれぞれ取り付けられるブラケット３と、当該ブラケット３，３間に架け渡される棚板４と、を備える陳列棚１において、
前記ブラケット３は、前記支柱２から前方に突出するブラケット本体３０と、当該ブラケット本体３０の下端部から隣り合うブラケット３側に突出するとともに前記棚板４が載置される載置部３１と、を有しており、
前記棚板４は樹脂製の押出成形品であり、かつ当該棚板４の長さ方向に沿って形成されるとともに長さ方向両端部に開口（開口４１）する中空部４０を有しており、
前記ブラケット３の前記載置部３１上面から前記ブラケット本体３０の上端部までの高さは、前記載置部３１に載置された状態の前記棚板４の前記中空部４０における前記開口４１の上縁の位置よりも高くなるように設定されており、
前記棚板４は、前記ブラケット３に対し、当該ブラケット３の前記載置部３１および棚板４の下端部を貫通して設けられ、かつ前記中空部４０内で拡開するファスナー部材５によって固定されていることを特徴とする。
【０００７】
請求項１に記載の考案によれば、前記棚板４は樹脂製の押出成形品であり、かつ当該棚板４の長さ方向に沿って形成されるとともに長さ方向両端部に開口する中空部４０を有するので、当該棚板４の軽量化を図ることができる。
また、前記ブラケット３の前記載置部３１上面から前記ブラケット本体３０の上端部までの高さは、前記棚板４の前記中空部４０における前記開口４１の上縁の位置よりも高くなるように設定されているので、前記ブラケット本体３０によって、前記棚板４の長さ方向両端部に露出する前記中空部４０の前記開口４１を少なくとも遮蔽することができる。これによって、前記棚板４の長さ方向両端部の処理を行わずに、当該棚板４を用いることができるので、当該棚板４の製造に係る手間やコストを削減できるとともに、見栄えもよい。
さらに、前記棚板４は、前記ブラケット３に対し、当該ブラケット３の前記載置部３１および棚板４の下端部を貫通して設けられ、かつ前記中空部４０内で拡開するファスナー部材５によって固定されているので、前記ファスナー部材５が前記中空部４０内で拡開することによって前記棚板４の下端部が当該ファスナー部材５から抜け出ることを防ぐことができる。これによって、前記棚板４の取付状態を強固なものとすることができる。
【０００８】
請求項２に記載の考案は、例えば図２〜図１４に示すように、請求項１に記載の陳列棚１において、
前記ブラケット３の前記載置部３１および前記棚板４は、前記ファスナー部材５が挿通される少なくとも一つの貫通孔３１ａ，４３ａをそれぞれ有することを特徴とする。
【０００９】
請求項２に記載の考案によれば、前記ブラケット３の前記載置部３１および前記棚板４は、前記ファスナー部材５が挿通される少なくとも一つの貫通孔３１ａ，４３ａをそれぞれ有するので、当該貫通孔３１ａ，４３ａに前記ファスナー部材５を確実かつ容易に挿入でき、前記棚板４を前記ブラケット３に対して取り付けやすくなる。
【００１０】
請求項３に記載の考案は、例えば図１１〜図１３に示すように、請求項１または２に記載の陳列棚１において、
前記載置部３１は、上方に突出する突出ピン３１ｂを備えており、
前記棚板４は、当該棚板４の下端部のうち前記突出ピン３１ｂに対応する位置に貫通形成されるピン用貫通孔４３ｂを備えることを特徴とする。
【００１１】
請求項３に記載の考案によれば、前記棚板４の前記ピン用貫通孔４３ｂを前記載置部３１の前記突出ピン３１ｂに挿し込むようにしながら、前記棚板４を前記載置部３１に載置できるので、前記棚板４の位置決めが容易となる。さらに、前記突出ピン３１ｂを前記ピン用貫通孔４３ｂに挿し込んだ状態においては、前記棚板４が水平方向に移動することを抑制できるので、前記ファスナー部材５による前記棚板４の取付作業が行いやすくなる。
【００１２】
請求項４に記載の考案は、例えば図１３，図１４に示すように、請求項１〜３のいずれか一項に記載の陳列棚１において、
前記ブラケット本体３０の上端面と、前記棚板４の上面とが面一であることを特徴とする。
【００１３】
請求項４に記載の考案によれば、前記ブラケット本体３０の上端面と、前記棚板４の上面とが面一であることから、前記ブラケット本体３０によって、前記棚板４の長さ方向両端部の端面全体を遮蔽することができる。これによって、前記棚板４の製造に係る手間やコストをより確実に削減できるとともに、より見栄えもよい。
しかも、前記ブラケット３の上端面と前記棚板４の上面との間に段差が生じないので、前記棚板４付近を、より見栄え良く見せることができる。
【００１４】
請求項５に記載の考案は、例えば図１〜図３に示すように、請求項１〜４のいずれか一項に記載の陳列棚１において、
前記壁面Ｗは、当該壁面Ｗを構成する壁面用板材Ｗ１の一側面であり、
前記支柱２は、前記ブラケット３が取り付けられるとともに平断面視略コ字状に形成された支柱本体２０と、
前記支柱本体２０と前記壁面用板材Ｗ１の表面との間に介在して設けられるとともに前記壁面用板材Ｗ１を保護するための保護プレート２１と、
前記壁面用板材Ｗ１に対して、前記支柱本体２０および前記保護プレート２１を固定するための固定ビス２２と、を有することを特徴とする。
【００１５】
請求項５に記載の考案によれば、平断面視略コ字状に形成された前記支柱本体２０と前記壁面用板材Ｗ１との間に、前記保護プレート２１を介在させることができるので、前記固定ビス２２を締め付けて前記支柱本体２０および前記保護プレート２１を前記壁面Ｗ１に固定する際に、前記保護プレート２１によって、当該固定ビス２２の締め付けに伴う前記壁面用板材Ｗ１の前記支柱本体２０側への変形を抑制することができる。
【考案の効果】
【００１６】
本考案によれば、棚板の製造に係る手間やコストを削減できるとともに、見栄えもよく、棚板の取付状態を強固なものとすることが可能な陳列棚を提供することを目的とする。
【図面の簡単な説明】
【００１７】
【図１】壁面に設置された陳列棚を示す斜視図である。
【図２】支柱の端部を示す拡大斜視図である。
【図３】支柱の壁面への取付構造を示す断面図である。
【図４】ブラケットの一側面を示す図である。
【図５】ブラケットの他側面を示す図である。
【図６】ブラケットを先端側から見た場合の拡大図であり、図４，図５，図８，図９におけるブラケットの該当箇所の４倍の寸法に拡大されている。
【図７】ブラケットを基端側から見た場合の拡大図であり、図４，図５，図８，図９におけるブラケットの該当箇所の４倍の寸法に拡大されている。
【図８】ブラケットの平面図である。
【図９】ブラケットの底面図である。
【図１０】ブラケットの斜視図である。
【図１１】棚板の斜視図である。
【図１２】ブラケットに対する棚板の固定前の状態を示す斜視図である。
【図１３】ブラケットに対する棚板の固定後の状態を示す斜視図である。
【図１４】ファスナー部材による棚板の固定状態を示す図１３におけるＡ−Ａ断面図であり、図６，図７と同様の縮尺で拡大されている。
【考案を実施するための形態】
【００１８】
以下、図面を参照して本考案の実施の形態について説明する。
図１において符号Ｗは、壁面を示す。この壁面Ｗは、本実施の形態においては建物内に設けられる部屋の壁である。ただし、これに限られるものではなく、建物外部の壁面すなわち外壁であってもよい。また、符号Ｆは、床面を示す。この床面Ｆは、本実施の形態においては前記部屋の床である。
また、符号１は、陳列棚を示す。本実施の形態の陳列棚１は、壁面Ｗに設置されるものであり、図１〜図１４に示すように、壁面Ｗに固定される複数の支柱２と、当該複数の支柱２にそれぞれ取り付けられるブラケット３と、当該ブラケット３，３間に架け渡される棚板４と、を備える。
【００１９】
壁面Ｗは、建物を構成する壁体の表面を指しており、当該壁体は、本実施の形態においては建築用パネルによって構成されている。すなわち、本実施の形態の建物は、壁や床、屋根といった建物の構成要素を予め工場にてパネル化しておき、施工現場でこれらの建築用パネルを組み立てて構築するパネル工法で構築される。
この建築用パネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
前記壁体は建築用壁パネルからなり、図３に示すように、枠体の両面に貼設される壁面用板材Ｗ１を含んで構成されている。そして、本実施の形態の壁面Ｗは当該壁面用板材Ｗ１の一側面を指している。
なお、本実施の形態の建物はパネル工法で構築されるものとしたが、本発明の趣旨を逸脱しない範囲で適宜変更可能であり、従来の軸組工法や壁式工法の木造、鉄骨造、鉄筋コンクリート造等の建物であってもよい。
【００２０】
まず、支柱２について説明する。
支柱２は、金属製であり、図１〜図３に示すように、壁面Ｗに固定された状態において上下にのみ連続する長尺物であり、支柱本体２０と、保護プレート２１と、固定ビス２２と、を有する。
支柱本体２０は、ブラケット３が取り付けられるものである。そして、断面視において保護プレート２１から前方に突出する両側板部２０ａ，２０ｂと、当該両側板部２０ａ，２０ｂの突出方向先端間に一体に設けられる正面板部２０ｃとから構成されることによって平断面視略コ字状に形成されている。
【００２１】
正面板部２０ｃには、当該正面板部２０ｃの長さ方向に並列する矩形状の複数の係止孔２０ｄが左右二列に形成されている。これら係止孔２０ｄには、ブラケット３の基端部に設けられるフック部３２が挿し込まれて係止される。
係止孔２０ｄが左右二列に形成されることで、一本の支柱２に対して二つのブラケット３を横に並べて取り付けることができる。これによって、図１に示す形態よりも支柱２の数を増やせば、その分に応じて、横方向に並ぶ棚板４の数も増やすことができる。例えば三本の支柱２，２，２を用いれば、当該三本の支柱２，２，２に、二つの棚板４，４を同じ高さで横方向に並べて取り付けることができる。
なお、フック部３２は、ブラケット本体３０の基端部に対して複数設けられており、ブラケット３の取付時に使用される係止孔２０ｄも、当該フック部３２の数に合わせて複数使用される。
【００２２】
また、正面板部２０ｃには、当該正面板部２０ｃの長さ方向に点在するようにして複数のビス孔２０ｅが形成されている。
当該複数のビス孔２０ｅは、前記係止孔２０ｄが正面板部２０ｃの長さ方向に短い間隔で並列するのに比して、互いに広い間隔を空けて配置されている。すなわち、当該複数のビス孔２０ｅは、正面板部２０ｃの長さ方向両端部と中央部には少なくとも形成されており、これらの中間地点にも適宜形成されていてもよい。なお、ビス孔２０ｅは、予め支柱２の製造段階で形成されてもよいし、現場加工で形成されてもよい。
また、これら複数のビス孔２０ｅは、二つ一組で、正面板部２０ｃの長さ方向両端部や中央部に形成されてもよいし、一つのビス孔２０ｅと二つ一組のビス孔２０ｅ，２０ｅが正面板部２０ｃ上で混在するように形成されていてもよい。なお、本実施の形態においては、図１に示すように、一つのビス孔２０ｅと二つ一組のビス孔２０ｅ，２０ｅが正面板部２０ｃ上で混在するように形成されたパターンが採用されている。
【００２３】
保護プレート２１は支柱本体２０と壁面用板材Ｗ１の表面との間に介在して設けられるとともに壁面用板材Ｗ１を保護するためのものであり、硬質樹脂製である。その幅寸法は、少なくとも支柱本体２０の一方の側板部２０ａから他方の側板部２０ｂまでの長さと略等しい。さらに、その長さ寸法は、支柱本体２０の長さ寸法と略等しい。
また、保護プレート２１には、当該保護プレート２１の長さ方向のうち前記複数のビス孔２０ｅに対応する位置に、複数のビス孔２１ｅが形成されている。
【００２４】
固定ビス２２は、壁面用板材Ｗ１に対して、支柱本体２０および保護プレート２１を固定するためのものであり、頭部２２ａと本体軸部２２ｂとを備える。
頭部２２ａは、支柱本体２０の正面板部２０ｃの表面側に留まり、本体軸部２２ｂは壁面用板材Ｗ１に打ち込まれる（ねじ込まれる）。なお、固定ビス２２を壁面用板材Ｗ１に打ち込む際は、図３に示すように、アンカー部材２３が用いられる。
アンカー部材２３を用いる場合は、壁面用板材Ｗ１に、当該アンカー部材２３用の貫通孔を形成しておく。アンカー部材２３は、固定ビス２２のねじ込みに伴って折れ曲がるようにして拡開するとともに、拡開することによって壁面用板材Ｗ１の裏面に当接する拡開部２３ａを有する。
なお、壁面用板材Ｗ１の裏面側に、建築用壁パネル（壁体）を構成する縦框材が存在する場合は、アンカー部材２３を用いずに、縦框材に固定ビス２２を直接打ち込むようにしてもよい。
【００２５】
ところで、保護プレート２１が、支柱本体２０と壁面用板材Ｗ１の表面との間に介在することによって、固定ビス２２のねじ込みに伴う壁面用板材Ｗ１の変形を抑制することができる。すなわち、保護プレート２１がない場合、壁面用板材Ｗ１は、固定ビス２２のねじ込みに伴って図３に示す破線のように変形する場合がある。
これに対し、本実施の形態のように支柱本体２０と壁面用板材Ｗ１の表面との間に保護プレート２１が介在していれば、当該保護プレート２１が壁面用板材Ｗ１の表面に当接することによって、このような壁面用板材Ｗ１の変形を抑制できるので、壁面用板材Ｗ１を保護することができる。
【００２６】
続いて、ブラケット３について説明する。
ブラケット３は、金属製であり、図１，図４〜図１４に示すように、支柱２から前方に突出して棚板４を支持するために用いられ、そして、ブラケット本体３０と、載置部３１と、を有する。
ブラケット本体３０は、当該ブラケット本体３０の支柱２側の基端部が、当該ブラケット本体３０の突出方向の先端部よりも、支柱２に向かって徐々に上下の長さが長くなるように形成されている。
また、この基端部には、支柱２の前記複数の係止孔２０ｄに挿し込まれて当該係止孔２０ｄの下縁に引っ掛けられる複数のフック部３２が一体形成されている。
【００２７】
また、ブラケット本体３０の上端部は、図４，図５に示すように、基端部側と先端部側との間に段差が生じないように面一に形成されている。すなわち、先端部よりも上下長さの長い基端部は、下縁部が支柱２側から先端部側に向かって弧を描くようにして湾曲形成されている。
【００２８】
載置部３１は、ブラケット本体３０の下端部から隣り合うブラケット３側に突出するとともに棚板４の長さ方向の端部が載置される板状体である。
また、このように載置部３１が隣り合うブラケット３側に突出するため、ブラケット３は、図１に示すように左用のブラケット３と、右用のブラケット３とが製造されることになる。これら左右のブラケット３，３をそれぞれ左右の支柱２，２に取り付けて、左右の載置部３１，３１間に棚板４が架け渡される。
【００２９】
また、載置部３１は、図４，図６〜図１０，図１２に示すように、上方に突出する突出ピン３１ｂを備える。このような突出ピン３１ｂは、載置部３１のうちブラケット３の先端部側に設けられている。
【００３０】
続いて、棚板４について説明する。
棚板４は、図１１〜図１４に示すように、樹脂製の押出成形品であり、かつ当該棚板４の長さ方向に沿って形成されるとともに長さ方向両端部に開口する中空部４０を有する。
当該棚板４は押出成形品であるため、その長さ方向に同一断面を有する。そして、長さ方向両端部には、中空部４０および当該中空部４０の開口４１が露出することになる。
当該棚板４の長さ寸法は、図１に示すように、前記左右のブラケット３，３間の間隔と略等しい。また、棚板４の幅寸法は、図１，図１３に示すように、支柱２に取り付けた状態のブラケット３の突出寸法と略等しくなるように設定されている。
【００３１】
ここで、ブラケット３における載置部３１上面からブラケット本体３０の上端部までの高さは、図１２〜図１４に示すように、載置部３１に載置された状態の棚板４の中空部４０における開口４１の上縁の位置よりも高くなるように設定されている。
換言すれば、このような構成は、棚板４を載置部３１に載置した際に、側面視において中空部４０の開口４１が、ブラケット本体３０によって見えない状態を指している。つまり、棚板４の厚さ寸法は、載置部３１上面からブラケット本体３０の上端部までの高さに近い寸法に設定されることになる。
本実施の形態においては、ブラケット本体３０の上端面と、棚板４の上面とは面一であり、棚板４の長さ方向両端部の端面が、ブラケット本体３０によって遮蔽された状態となっている。この場合、棚板４の厚さ寸法は、載置部３１上面からブラケット本体３０の上端部までの高さと略等しく設定されている。
【００３２】
また、棚板４は、図１１に示すように、当該棚板４の上端部となる上面板部４２と、下端部となる下面板部４３と、正面および背面に位置する両側板部４４，４５と、中空部４０と中空部４０とを仕切る複数の仕切板部４６とを有する。
これら各板部４２〜４６は、棚板４そのものの厚みよりも格段に薄肉に形成され、ブラケット本体３０の厚みと略等しく設定されている。
【００３３】
棚板４は、図１２〜図１４に示すように、ブラケット３に対し、当該ブラケット３の載置部３１および棚板４の下端部を貫通して設けられ、かつ中空部４０内で拡開するファスナー部材５によって固定されている。
ブラケット３の載置部３１および棚板４の下面板部４３は、ファスナー部材５が挿通される貫通孔３１ａ，４３ａをそれぞれ有する。これら貫通孔３１ａ，４３ａは、棚板４を載置部３１に載置した際に互いに対応する位置に形成されているものとする。また、貫通孔３１ａは、載置部３１のうちブラケット３の基端部側に設けられている。
なお、このような貫通孔３１ａ，４３ａは、本実施の形態においては一つであるが、これに限られるものではなく、複数形成されてもよい。
【００３４】
ファスナー部材５は、貫通孔３１ａ，４３ａに挿入されることによって載置部３１および棚板４の下端部である下面板部４３を貫通して設けられる。
さらに、このファスナー部材５は、載置部３１の下面に当接する頭部５０と、貫通孔３１ａ，４３ａに挿入される拡開部５１と、頭部５０から拡開部５１に向かって形成されるビス孔にねじ込まれるビス５２と、を有する。そして、拡開部５１は、ビスのねじ込みに伴って拡開する複数の拡開片５１ａと、これら複数の拡開片５１ａ間に形成されるスリット５１ｂとを備える。
すなわち、ファスナー部材５によって、棚板４を載置部３１に固定する際は、ファスナー部材５の拡開部５１を貫通孔３１ａ，４３ａに挿入し、ビス５２をねじ込んで、拡開片５１ａを中空部４０内で拡開させることによって棚板４を載置部３１に固定できる。このように拡開片５１ａを拡開させることにより、当該拡開片５１ａは、棚板４の下面板部４３における中空部４０側面（上面）に当接することになり、棚板４を載置部３１に強固に固定することが可能となる。
【００３５】
また、棚板４は、当該棚板４の下端部である下面板部４３のうち、載置部３１の突出ピン３１ｂに対応する位置に貫通形成されるピン用貫通孔４３ｂを備える。
すなわち、棚板４を載置部３１に載置する際に、突出ピン３１ｂがピン用貫通孔４３ｂに挿入されることになる。
【００３６】
次に、以上のような構成の陳列棚１を壁面Ｗに設置する方法について説明する。
まず、図１に示すように、棚板４の長さ寸法に合わせて、支柱２，２を、互いに間隔を空けて壁面Ｗに固定する。当該支柱２，２を固定する際は、支柱本体２０のビス孔２０ｅ分、壁面用板材Ｗ１にアンカー部材２３用の貫通孔を形成し、これら貫通孔にアンカー部材２３を挿入する。
なお、本実施の形態においては、支柱２を、当該支柱２の下端面を床面Ｆに当接させるようにして固定している。
【００３７】
そして、アンカー部材２３の頭部の上から保護プレート２１および支柱本体２０を重ね合わせ、固定ビス２２をビス孔２０ｅ，２１ｅに挿入するとともにアンカー部材２３に向かってねじ込む。固定ビス２２のねじ込みに伴って拡開部２３ａが拡開して壁面用板材Ｗ１の裏面に当接し、これによって、支柱本体２０と保護プレート２１とを、壁面Ｗに固定することができる。このような作業を、支柱２の長さ方向にわたって複数回行い、支柱２を長さ方向にわたって壁面Ｗに固定する。
【００３８】
続いて、左用および右用のブラケット３，３のフック部３２を、支柱２，２の係止孔２０ｄに挿入し、当該係止孔２０ｄの下縁に引っ掛けるようにして係止する。これによって、ブラケット３を支柱２に取り付けることができる。
【００３９】
続いて、左右のブラケット３，３の載置部３１，３１に、棚板４の長さ方向両端部を載置する。この時、載置部３１の突出ピン３１ｂを、棚板４の下面板部４３に形成されたピン用貫通孔４３ｂに挿入するようにして、棚板４を載置部３１に載置する。
また、この時、載置部３１の貫通孔３１ａの位置と、棚板４の貫通孔４３ａの位置とが合致するように位置決めを行うことができる。
【００４０】
そして、ファスナー部材５の拡開部５１を、載置部３１の貫通孔３１ａと棚板４の下面板部４３の貫通孔４３ａに挿入して、ビス５２をねじ込む。当該ビス５２のねじ込みに伴って拡開片５１ａが中空部４０内で拡開するとともに下面板部４３の上面に当接し、これによって、棚板４を載置部３１に固定することができる。このような作業を、棚板４の長さ方向両端部で行い、棚板４を左右のブラケット３，３の双方に確実に固定する。
【００４１】
以上のようにして、陳列棚１を壁面Ｗに設置することが可能となる。
なお、ブラケット３を支柱２に取り付ける高さは使用者の任意であり、いつでも自由に変えられるようにするために、上述のように、複数の係止孔２０ｄが正面板部２０ｃの長さ方向に沿って複数形成されている。また、棚板４を使用する数も、使用者の任意であることは言うまでもない。
【００４２】
本実施の形態によれば、棚板４は樹脂製の押出成形品であり、かつ当該棚板４の長さ方向に沿って形成されるとともに長さ方向両端部に開口する中空部４０を有するので、当該棚板４の軽量化を図ることができる。
また、ブラケット３の載置部３１上面からブラケット本体３０の上端部までの高さは、棚板４の中空部４０における開口４１の上縁の位置よりも高くなるように設定されているので、ブラケット本体３０によって、棚板４の長さ方向両端部に露出する中空部４０の開口４１を少なくとも遮蔽することができる。これによって、棚板４の長さ方向両端部の処理を行わずに、当該棚板４を用いることができるので、当該棚板４の製造に係る手間やコストを削減できるとともに、見栄えもよい。
さらに、棚板４は、ブラケット３に対し、当該ブラケット３の載置部３１および棚板４の下端部を貫通して設けられ、かつ中空部４０内で拡開するファスナー部材５によって固定されているので、ファスナー部材５が中空部４０内で拡開することによって棚板４の下端部が当該ファスナー部材５から抜け出ることを防ぐことができる。これによって、棚板４の取付状態を強固なものとすることができる。
【００４３】
また、ブラケット３の載置部３１および棚板４の下面板部４３は、ファスナー部材５が挿通される少なくとも一つの貫通孔３１ａ，４３ａをそれぞれ有するので、当該貫通孔３１ａ，４３ａにファスナー部材５を確実かつ容易に挿入でき、棚板４をブラケット３に対して取り付けやすくなる。
【００４４】
また、棚板４は、当該棚板４の下端部のうち突出ピン３１ｂに対応する位置に貫通形成されるピン用貫通孔４３ｂを備えるので、棚板４のピン用貫通孔４３ｂを載置部３１の突出ピン３１ｂに挿し込むようにしながら、棚板４を載置部３１に載置できる。これによって、棚板４の位置決めが容易となる。
さらに、突出ピン３１ｂをピン用貫通孔４３ｂに挿し込んだ状態においては、棚板４が水平方向に移動することを抑制できるので、ファスナー部材５による棚板４の取付作業が行いやすくなる。
【００４５】
また、ブラケット本体３０の上端面と、棚板４の上面とが面一であることから、ブラケット本体３０によって、棚板４の長さ方向両端部の端面全体を遮蔽することができる。これによって、棚板４の製造に係る手間やコストをより確実に削減できるとともに、より見栄えもよい。
しかも、ブラケット３の上端面と棚板４の上面との間に段差が生じないので、棚板４付近を、より見栄え良く見せることができる。
【００４６】
また、平断面視略コ字状に形成された支柱本体２０と壁面用板材Ｗ１との間に、保護プレート２１を介在させることができるので、固定ビス２２を締め付けて支柱本体２０および保護プレート２１を壁面Ｗ１に固定する際に、保護プレート２１によって、当該固定ビス２２の締め付けに伴う壁面用板材Ｗ１の支柱本体２０側への変形を抑制することができる。
【符号の説明】
【００４７】
Ｗ  壁面
１  陳列棚
２  支柱
３  ブラケット
４  棚板
５  ファスナー部材
３０  ブラケット本体
３１  載置部
４０  中空部
４１  開口
【図１】
0003187045.tif 000003
【図２】
0003187045.tif 000004
【図３】
0003187045.tif 000005
【図４】
0003187045.tif 000006
【図５】
0003187045.tif 000007
【図６】
0003187045.tif 000008
【図７】
0003187045.tif 000009
【図８】
0003187045.tif 000010
【図９】
0003187045.tif 000011
【図１０】
0003187045.tif 000012
【図１１】
0003187045.tif 000013
【図１２】
0003187045.tif 000014
【図１３】
0003187045.tif 000015
【図１４】
0003187045.tif 000016